(57)【要約】【課題】  巻回状態の毛髪保持具における巻芯近傍に毛髪処理剤が浸透し易く、巻回状態の毛髪保持具における外周部分から毛髪保持具内に一旦浸透した毛髪処理剤が漏れ出し難い毛髪保持具を提供すること。【解決手段】  一端の開口部２１から他端の開口部２２に向けて毛髪束を挿通可能にシート２３Ａ、２３Ｂにより構成された扁平な筒状体２からなり、前記筒状体２を構成する前記シート２３Ａ、２３Ｂの坪量が、前記一端の開口部２１から前記他端の開口部２２に向けて漸減している。【選択図】  図２
2005185532.tif 000002
【特許請求の範囲】
【請求項１】
一端の開口部から他端の開口部に向けて毛髪束を挿通可能にシートにより構成された扁平な筒状体からなり、
前記シートの坪量が、前記一端の開口部から前記他端の開口部に向けて漸減している毛髪保持具。
【請求項２】
前記一端の開口部近傍の前記坪量が５０〜５００ｇ／ｍ2であり、前記他端の開口部近傍の前記坪量が１０〜１５０ｇ／ｍ2である請求項１記載の毛髪保持具。
【請求項３】
前記シートの坪量は３段階で漸減しており、該シートにおける長手方向中央部の前記坪量が、５０〜２５０ｇ／ｍ2である請求項２記載の毛髪保持具。
【請求項４】
前記筒状体は、その長さＬが２０〜５００ｍｍで、その幅Ｗに対する該長さＬの比（Ｌ／Ｗ）が０．７〜０．２である請求項１〜３の何れかに記載の毛髪保持具。
【発明の詳細な説明】
【技術分野】
【０００１】
本発明は、パーマ等により毛髪にカールを付与する場合に、毛髪束を所定の形状に巻回するときの補助具として用いられる毛髪保持具に関する。
【背景技術】
【０００２】
毛髪束を所定の形状に巻回するときの補助具に用いられる毛髪保持具として、一端の開口部から他端の開口部に向けて毛髪束を挿通可能に構成された筒状体からなる毛髪保持具が用いられている。このような毛髪保持具としては、下記特許文献１に記載されている筒状シートからなる毛髪保持具や、下記特許文献２に記載されている筒状網からなる毛髪保持具等がある。
このような毛髪保持具によれば、毛髪保持具内に毛髪束を挿通し、その状態で毛髪保持具を毛髪束ごと巻回することにより毛髪束を巻回することができる。そして、巻回状態において毛髪保持具を介して毛髪にパーマ液等の毛髪処理剤を付与することにより、毛髪にカールを付与することができる。
【０００３】
【特許文献１】特開２００３−３３２１６号公報
【特許文献２】国際公開第００／５７７４４号パンフレット
【発明の開示】
【発明が解決しようとする課題】
【０００４】
しかし、従来の毛髪保持具を用いたカール付与においては、毛髪保持具の巻回数が多くなると、巻回状態の毛髪保持具における巻芯近傍に毛髪処理剤が浸透し難く、巻芯近傍の毛髪に十分な毛髪処理剤が付与され難かった。一方、毛髪保持具に対する毛髪処理剤の浸透性を向上させると、巻回状態の毛髪保持具における外周部分から毛髪保持具内に一旦浸透した毛髪処理剤が漏れ出すことがあった。
以上の問題は、長い毛髪束や分量のある毛髪束に対して毛髪保持具を用いた場合に、特に顕著となる。
【０００５】
従って、本発明の目的は、巻回状態の毛髪保持具における巻芯近傍に毛髪処理剤が浸透し易く、巻回状態の毛髪保持具における外周部分から毛髪保持具内に一旦浸透した毛髪処理剤が漏れ出し難い毛髪保持具を提供することにある。
【課題を解決するための手段】
【０００６】
本発明は、一端の開口部から他端の開口部に向けて毛髪束を挿通可能にシートにより構成された扁平な筒状体からなり、前記シートの坪量が、前記一端の開口部から前記他端の開口部に向けて漸減している毛髪保持具を提供することにより、上記目的を達成したものである。
【発明の効果】
【０００７】
本発明の毛髪保持具によれば、巻回状態の毛髪保持具における巻芯近傍に毛髪処理剤が浸透し易く、巻回状態の毛髪保持具における外周部分から毛髪保持具内に一旦浸透した毛髪処理剤が漏れ出し難い。
【発明を実施するための最良の形態】
【０００８】
以下、本発明の毛髪保持具を、その好ましい一実施形態について、図１及び図２を参照して説明する。
本実施形態の毛髪保持具１は、図１及び図２に示すように、一端の開口部２１から他端の開口部２２に向けて毛髪束Ｈ（図３参照）を挿通可能にシート２３Ａ、２３Ｂにより構成された扁平な筒状体２からなり、前記筒状体２を構成する前記シート２３Ａ、２３Ｂの坪量が、前記一端の開口部２１から前記他端の開口部２２に向けて漸減している。
【０００９】
筒状体２は、図１及び図２に示すように、２枚の矩形状のシート２３Ａ，２３Ｂを、その長手方向に沿う側端部２４，２４同士を接合させて形成されており、横断面形状がそれぞれ直線状の２面を結合してなる扁平形状を有している。尚、図１においては、筒状体２を、便宜上、その開口部が弓形状の２面を結合してなる扁平形状に開口した状態で図示している。
【００１０】
一方のシート２３Ａは、図２に示すように、第１基材シート３１Ａ、第２基材シート３２Ａ及び第３基材シート３３Ａの３枚を貼り合わせてなる。
第１基材シート３１Ａは、図２に示すように、筒状体２の一端の開口部２１から他端の開口部２２に亘っている。第２基材シート３２Ａは、筒状体２の一端の開口部２１から、筒状体２の全長の略２／３に亘っており、第１基材シート３１Ａの外周面に貼り合わされている。第３基材シート３３Ａは、筒状体２の一端の開口部２１から、筒状体２の全長の略１／３に亘っており、第２基材シート３２Ａの外周面に貼り合わされている。
他方のシート２３Ｂも、図２に示すように、一方のシート２３Ａと同様に、第１基材シート３１Ｂ、第２基材シート３２Ｂ及び第３基材シート３３Ｂの３枚を貼り合わせてなる。
【００１１】
これらの各基材シートは、シート単体において坪量がシート長手方向に均一となっている。そのため、一方のシート２３Ａの坪量は、筒状体２の長手方向に３段階で漸減しており、筒状体２全体として、図２に示すように、一端の開口部２１から筒状体２の全長の略１／３の領域Ｐ３における坪量と、筒状体２の全長における長手方向中央部の略１／３の領域Ｐ２における坪量と、他端の開口部２２から筒状体２の全長の略１／３の領域Ｐ１における坪量との比は、３：２：１となっている。
【００１２】
一方のシート２３Ａ及び他方のシート２３Ｂにおいては、前記一端の開口部２１近傍（本実施形態においては領域Ｐ３）の前記坪量は、５０〜５００ｇ／ｍ2であり、好ましくは１００〜３００ｇ／ｍ2である。また、前記他端の開口部２２近傍（本実施形態においては領域Ｐ１）の前記坪量は、１０〜１５０ｇ／ｍ2であり、好ましくは２０〜１００ｇ／ｍ2である。また、長手方向中央部（本実施形態においては領域Ｐ２）の前記坪量は、４０〜２５０ｇ／ｍ2であり、好ましくは５０〜２５０ｇ／ｍ2であり、更に好ましくは５０〜２００ｇ／ｍ2である。このような範囲に坪量を規定すると、筒状体をロール状に巻き上げる際に巻き上げ易く、好ましい。
【００１３】
一端の開口部２１近傍（領域Ｐ３）は、坪量が大きくなっている結果、高剛性となっている。そのため、毛髪を取り込む際に、一端の開口部２１に毛髪が引っ掛かったとしても一端の開口部２１が変形し難くなり、毛髪を取り込み易くなっている。
【００１４】
前記筒状体２は、その長さＬが２０〜５００ｍｍであり、好ましくは１００〜３００ｍｍである。また、筒状体２は、その幅Ｗに対する長さＬの比（Ｌ／Ｗ）が０．７〜０．２であり、好ましくは、０．５〜０．３である。比（Ｌ／Ｗ）が０．７〜０．２であると、筒状体への毛髪の挿入性が良好である。
【００１５】
筒状体２を構成するシートとしては、各種可撓性材料が用いられ、例えば、不織布（ポリエチレン不織布、ポリエチレンテレフタレート不織布等）、織布、紙、又はこれらの複合体等が挙げられる。
【００１６】
次に、本実施形態の毛髪保持具の一使用態様として、パーマ処理により毛髪（頭髪）に直接カールを付与する場合について、図３を参照しながら説明する。
先ず、毛髪束Ｈの量や得ようとするカール形状に応じて、適当な長さ及び幅を有する筒状体２からなる毛髪保持具１を用い、図３（ａ）に示すように、筒状体２の一端の開口部２１を楕円形状に開口して、該開口部２１から毛髪束Ｈを挿入する。そして、図３（ｂ）に示すように、毛髪束Ｈを、その先端が筒状体２の他端の開口部２２から少しはみ出るまで、筒状体２に挿通させる。その際には、毛髪を筒状体内に挿入する補助具である毛髪挿入具（図示せず）を使用することが好ましい。
【００１７】
毛髪束Ｈを筒状体２に挿通させた後、図３（ｃ）及び（ｄ）に示すように、筒状体２を他端の開口部２２の側から、所望の巻回径で巻回し、クリップ（図示せず）等の周知の固定手段を用いて毛髪束Ｈの巻回状態を保持する。その後、筒状体２の外側からパーマ用の毛髪処理剤を毛髪束Ｈに付与する。
【００１８】
ここで、本実施形態における筒状体２によれば、その坪量が、その長手方向に均一ではなく、毛髪束Ｈの挿入口である一方の開口部２１から他端の開口部２１に向けて漸減しているため、巻回時において、巻芯近傍の筒状体２の坪量が小さく、巻芯近傍まで毛髪処理剤が浸透し易い。しかも、一方の開口部２１近傍においては、十分な坪量を有しているため、巻回状態の毛髪保持具における外周部分から筒状体２内に一旦浸透した毛髪処理剤が漏れ出し難い。
【００１９】
そして、所定時間後、筒状体２から毛髪束Ｈを挿脱し、洗髪等して、パーマ処理を完了する。その結果、本実施形態の毛髪保持具１によれば、毛髪に、容易且つ確実に綺麗なカールを付与することができる。
尚、筒状体２の開口部２１から毛髪束Ｈを挿入させる際に、必要に応じ、該開口部２１を真円状に開口した方が、毛髪束Ｈをスムーズに挿入させ易い。また、必ずしも、毛髪束Ｈの先端を筒状体２の他端の開口部２２からはみ出させる必要はない。
【００２０】
次に、本発明の毛髪保持具の他の実施形態について説明する。これらの実施形態については、図１及び図２に示す実施形態と異なる点についてのみ説明し、特に説明しない点については、該実施形態に関する説明が適宜適用される。
【００２１】
図４に示す実施形態の毛髪保持具１は、ロール状に巻き上げた状態で、該状態が保持されるように、所定の手段によってくせ付けをされたものである。そのため、筒状体２は、その長手方向に引き伸ばした状態にして、その状態から解放すると、ロール状に巻き上げられた状態へと自発的に巻き上げられる。
筒状体２にくせ付けをするためには、その構成シートとして所定の形状に形成された弾性変形可能な材料を用いることが簡便である。該弾性変形可能な材料としては、ポリエチレンテレフタレート、ポリプロピレン、ポリスチレン、ポリアクリロニトリルなどが挙げられる。
これらの弾性変形可能な材料を用いて筒状体２にロール状のくせ付けをするには、筒状体２をロール状に巻き上げ、所定の手段によってその巻き上げ形態を保持し、その状態下に筒状体２を所定温度に加熱すればよい。
【００２２】
図４に示す実施形態の毛髪保持具１を用いた場合、筒状体２内に毛髪を挿入した後、引き伸ばした状態にある筒状体２の引き伸ばし状態を解除すれば、筒状体２は自発的に巻き上げられる。従って、本実施形態の毛髪保持具１は巻き上げ操作が全く不要である。その上、本実施形態の毛髪保持具は、クリップ等の巻き上げ形態を保持するための手段が不要であるという利点もある。
【００２３】
本発明の毛髪保持具は、前述した実施形態に制限されることなく、本発明の趣旨を逸脱しない限り、例えば以下に示すように適宜変更が可能である。
筒状体は、その形成方法について特に制限はなく、シートを縫合、融着又は接着して形成したものでも、押出成形等により当初から筒状に形成したものでもよい。
筒状体は、矩形状のシートを、その長手方向に沿って二つ折りし、その長手方向に沿う側端部同士を接合させて形成することもできる。
前述した各実施形態においては、厚さ及び坪量がシート長手方向に均一な基材シートを貼り合わせて、筒状体を形成しているが、筒状体を構成するシートの坪量が一端の開口部から他端の開口部に向けて漸減していれば、その形成法は制限されない。
【００２４】
例えば、筒状体を構成するシートとして、一端の開口部から他端の開口部に向けて段階的に又は徐々に（滑らかに）坪量が漸減するように形成された一体シートを用いることができる。
前述した実施形態においては、短い基材シートを長い基材シートの外周面に貼り合わせているが、反対に、短い基材シートを長い基材シートの内周面に貼り合わせてもよい。
前述した実施形態においては、３枚の基材シートを用い、坪量が筒状体の長手方向に３段階に漸減するように構成されているが、貼り合わせ形態等を変えることにより、２段階又は４段階以上に漸減するように構成することもできる。
【００２５】
筒状体の他端の開口部にチャックを設け、該開口部を閉塞可能な構造とすることもできる。
前述した各実施形態のそれぞれ異なる部分を、適宜変更したり組み合わせた形態とすることもできる。
筒状体は、正面視で矩形（帯状）のものに制限されず、筒状と同視できるものであれば、正面視で略楕円形状、末広がり状のもの等でもよい。筒状体の表面には凹凸があってもよい。
本発明の毛髪保持具の使用方法は、図３に示す使用態様に限定されない。毛髪束の巻回の際には、従来と同様に、ロッドを併用してもよい。
【図面の簡単な説明】
【００２６】
【図１】図１は、本発明の毛髪保持具の一実施形態を示す斜視図である。
【図２】図２は、図１に示すII−II断面図である。
【図３】図３は、図１に示す実施形態の毛髪保持具の一使用態様を示す図で、（ａ）、（ｂ）、（ｃ）及び（ｄ）は、それぞれ毛髪束の巻回手順を順次示す斜視図である。
【図４】図４は、本発明の毛髪保持具の他の実施形態を示す斜視図である。
【符号の説明】
【００２７】
１  毛髪保持具
２  筒状体
２１、２２  開口部
２３Ａ、２３Ｂ  シート
２４  側端部
３１Ａ、３１Ｂ  第１基材シート
３２Ａ、３２Ｂ  第２基材シート
３３Ａ、３３Ｂ  第３基材シート
Ｈ  毛髪束
【図１】
2005185532.tif 000003
【図２】
2005185532.tif 000004
【図３】
2005185532.tif 000005
【図４】
2005185532.tif 000006